(57)【要約】  同一のインターネット広告提供方法および装置が開示される。本発明の好ましい一実施形態によれば、クライアントからクッキー情報を受信し、クライアントが接続中であるサーバから広告露出情報を受信し、受信したクッキー情報と広告露出情報を利用して広告データを読み出し、読み出された広告データをクライアントに転送する。  本発明によれば、インターネットユーザにウェブサイトやウェブページの移動に関係なく同一の広告を提供することができるので広告の効果を極大化することができる。
2011503687.tif 000002
【特許請求の範囲】
【請求項１】
同一のインターネット広告提供方法であって、
クライアントからクッキー情報を受信するステップ（ａ）；
前記クライアントが接続中であるサーバから広告露出情報を受信するステップ（ｂ）；
前記受信したクッキー情報と広告露出情報を利用して広告データを読み出すステップ（ｃ）；および
前記読み出された広告データを前記クライアントに転送するステップ（ｄ）を含むことを特徴とする同一のインターネット広告提供方法。
【請求項２】
前記ステップ（ａ）において、
前記クッキー情報は、前記クライアントに設けられたウェブブラウザーから受信することを特徴とする、請求項１に記載の同一のインターネット広告提供方法。
【請求項３】
前記ステップ（ａ）において、
前記クッキー情報は、前記クライアントが接続中である前記サーバを介して受信することを特徴とする、請求項１に記載の同一のインターネット広告提供方法。
【請求項４】
前記ステップ（ａ）において、前記クッキー情報は、前記クライアントのユーザ情報を含み、
前記ステップ（ｃ）は、前記ユーザ情報を利用して広告データを読み出すことを特徴とする、請求項１に記載の同一のインターネット広告提供方法。
【請求項５】
前記ステップ（ｂ）において、
前記広告露出情報は、前記転送される広告データが表示されるウインドウの大きさ、位置、および表示方法のうちの少なくとも一つを含む情報であることを特徴とする、請求項１に記載の同一のインターネット広告提供方法。
【請求項６】
前記ステップ（ｃ）において、
前記広告データの読み出しは、前記クッキー情報と広告露出情報を利用してクエリーを生成して行われることを特徴とする、請求項１に記載の同一のインターネット広告提供方法。
【請求項７】
前記ステップ（ｄ）において、
前記読み出した広告データを前記クライアントに転送することは、前記クライアントが接続中であるサーバが変更される場合にも継続して行われることを特徴とする、請求項１に記載の同一のインターネット広告提供方法。
【請求項８】
同一のインターネット広告提供装置であって、
クライアントからクッキー情報を受信するクッキー情報受信部；
前記クライアントが接続中であるサーバから広告露出情報を受信する広告露出情報受信部；
前記クッキー情報受信部と前記広告露出情報受信部によってそれぞれ受信されたクッキー情報と広告露出情報を利用して広告データを読み出す広告データ検索部；および
前記広告データ検索部によって読み出された広告データを前記クライアントに転送する広告データ転送部を含むことを特徴とする同一のインターネット広告提供装置。
【請求項９】
前記クッキー情報受信部は、前記クライアントに設けられたウェブブラウザーから前記クッキー情報を受信することを特徴とする、請求項８に記載の同一のインターネット広告提供装置。
【請求項１０】
前記クッキー情報受信部は、前記クライアントが接続中である前記サーバを介して前記クッキー情報を受信することを特徴とする、請求項８に記載の同一のインターネット広告提供装置。
【請求項１１】
前記クッキー情報受信部によって受信される前記クッキー情報は、前記クライアントのユーザ情報を含み、
前記広告データ検索部は、前記クッキー情報に含まれた前記ユーザ情報を利用して広告データを読み出すことを特徴とする、請求項８に記載の同一のインターネット広告提供装置。
【請求項１２】
前記広告露出情報受信部によって受信される前記広告露出情報は、前記転送される広告データが表示されるウインドウの大きさ、位置、および表示方法のうちの少なくとも一つを含む情報であることを特徴とする、請求項８に記載の同一のインターネット広告提供装置。
【請求項１３】
前記広告データ検索部は、前記クッキー情報と広告露出情報を利用し、クエリーを生成して前記広告データの読み出しを行うことを特徴とする、請求項８に記載の同一のインターネット広告提供装置。
【請求項１４】
前記広告データ転送部は、前記クライアントが接続中であるサーバが変更される場合にも前記読み出した広告データを継続して転送することを特徴とする、請求項８に記載の同一のインターネット広告提供装置。
【請求項１５】
同一のインターネット広告提供方法が実現されるように、デジタル処理装置によって実行できる命令語のプログラムが有形的に実現され、デジタル処理装置によって読み取り可能なプログラムを記録した記録媒体であって、
クライアントからクッキー情報を受信するステップ（ａ）；
前記クライアントが接続中であるサーバから広告露出情報を受信するステップ（ｂ）；
前記受信したクッキー情報と広告露出情報を利用して広告データを読み出すステップ（ｃ）；および
前記読み出された広告データを前記クライアントに転送するステップ（ｄ）を含むことを特徴とする同一のインターネット広告提供方法を実現するためのプログラムを記録した記録媒体。
【発明の詳細な説明】
【技術分野】
【０００１】
本発明は、同一のインターネット広告提供方法および装置に関し、より詳しくは、インターネットを介してユーザが他のウェブページに移動する場合にも同一の広告がユーザに継続して提供されるようにできるインターネット広告提供方法および装置に関する。
【背景技術】
【０００２】
現在、空中波放送、ケーブル放送などの放送媒体だけでなく、インターネットのウェブページなどを介したバナー広告、ポップアップ広告など、様々な形態の広告が存在する。
【０００３】
このような広告は、ユーザにとっては新しい商品やサービスに対する情報を獲得できる機会となり、広告主にとっては新しい商品やサービスをユーザに広く知らせて商品やサービスの購買を拡大できる手段となる。
【０００４】
しかし、このような広告は、不特定多数を対象に提供されるのが一般的であるため、該当商品やサービスに関心のないユーザなど、ユーザの好み次第では大きな広告効果が得られない場合が多い。
【０００５】
また、インターネットなどの通信網を介したＵＣＣ（Ｕｓｅｒ  Ｃｒｅａｔｅｄ  Ｃｏｎｔｅｎｔｓ）、ブログ（ｂｌｏｇ）などの個人媒体が発達し、ユーザ自身だけに特化されたサービスの要求が増大するにつれて、それぞれのユーザの好みに合わせた、いわゆるユーザオーダーメード型広告またはカスタマイズ（ｃｕｓｔｏｍｉｚｅｄ）された広告が要求される。
【０００６】
しかし、インターネットユーザらは、一つのウェブサイトだけを利用するのではなく、複数のウェブサイトを移動しつつ、いわゆるウェブサーフィンをするのが一般的であり、このようなウェブサイトやウェブページを移動する場合、それぞれのウェブサイトやウェブページから提供される異なる広告がインターネットユーザに提供されるのが一般的である。
【０００７】
一方、このようなウェブサイトやウェブページの移動が一般的であるが、広告の場合、同一のユーザに同一の広告が持続的に露出されることで広告の効果を極大化することができる。
【０００８】
しかし、インターネットユーザがどのウェブサイトやウェブページに移動するかを予め把握するのは困難であるため、同一のインターネットユーザにウェブサイトやウェブページの移動に関係なく同一の広告を提供することは難しいという問題点がある。
【発明の概要】
【発明が解決しようとする課題】
【０００９】
本発明は、同一のインターネットユーザにウェブサイトやウェブページの移動に関係なく同一の広告を提供できる同一のインターネット広告提供方法および装置を提供する。
【００１０】
また、ウェブサイトやウェブページを移動する場合にもそれぞれのウェブサイトやウェブページから提供される広告が同一であるため、広告の効果を極大化できる同一のインターネット広告提供方法および装置を提供する。
【００１１】
本発明のさらに他の目的は、以下の実施形態に対する説明から容易に理解できるはずである。
【課題を解決するための手段】
【００１２】
本発明の一側面によれば、同一のインターネット広告提供方法が提供される。
【００１３】
本発明の好ましい一実施形態によれば、同一のインターネット広告提供方法であって、クライアントからクッキー（ｃｏｏｋｉｅ）情報を受信するステップ（ａ）；前記クライアントが接続中であるサーバから広告露出情報を受信するステップ（ｂ）；前記受信したクッキー情報と広告露出情報を利用して広告データを読み出すステップ（ｃ）；および前記読み出された広告データを前記クライアントに転送するステップ（ｄ）を含むことを特徴とする同一のインターネット広告提供方法が提供される。
【００１４】
前記ステップ（ａ）において、前記クッキー情報は、前記クライアントに設けられたウェブブラウザーから受信することができる。
【００１５】
前記ステップ（ａ）において、前記クッキー情報は、前記クライアントが接続中である前記サーバを介して受信することができる。
【００１６】
前記ステップ（ａ）において、前記クッキー情報は前記クライアントのユーザ情報を含み、前記ステップ（ｃ）は前記ユーザ情報を利用して広告データを読み出すことができる。
【００１７】
前記ステップ（ｂ）において、前記広告露出情報は、前記転送される広告データが表示されるウインドウの大きさ、位置、および表示方法のうちの少なくとも一つを含む情報であってもよい。
【００１８】
前記ステップ（ｃ）において、前記広告データの読み出しは、前記クッキー情報と広告露出情報を利用してクエリーを生成して行われる。
【００１９】
前記ステップ（ｄ）において、前記読み出した広告データを前記クライアントに転送することは、前記クライアントが接続中であるサーバが変更される場合にも継続して行われる。
【００２０】
本発明の他の側面によれば、同一のインターネット広告提供装置が提供される。
【００２１】
本発明の好ましい一実施形態によれば、同一のインターネット広告提供装置であって、クライアントからクッキー情報を受信するクッキー情報受信部；前記クライアントが接続中であるサーバから広告露出情報を受信する広告露出情報受信部；前記クッキー情報受信部と前記広告露出情報受信部によってそれぞれ受信されたクッキー情報と広告露出情報を利用して広告データを読み出す広告データ検索部；および前記広告データ検索部によって読み出された広告データを前記クライアントに転送する広告データ転送部を含むことを特徴とする同一のインターネット広告提供装置が提供される。
【００２２】
前記クッキー情報受信部は、前記クライアントに設けられたウェブブラウザーから前記クッキー情報を受信することができる。
【００２３】
前記クッキー情報受信部は、前記クライアントが接続中である前記サーバを介して前記クッキー情報を受信することができる。
【００２４】
前記クッキー情報受信部によって受信される前記クッキー情報は前記クライアントのユーザ情報を含み、前記広告データ検索部は前記クッキー情報に含まれた前記ユーザ情報を利用して広告データを読み出すことができる。
【００２５】
前記広告露出情報受信部によって受信される前記広告露出情報は、前記転送される広告データが表示されるウインドウの大きさ、位置、および表示方法のうちの少なくとも一つを含む情報であってもよい。
【００２６】
前記広告データ検索部は、前記クッキー情報と広告露出情報を利用し、クエリーを生成して前記広告データの読み出しを行うことができる。
【００２７】
前記広告データ転送部は、前記クライアントが接続中であるサーバが変更される場合にも前記読み出した広告データを継続して転送することができる。
【００２８】
本発明の他の側面によれば、同一のインターネット広告提供方法を実現するためのプログラムを記録した記録媒体が提供される。
【００２９】
本発明の好ましい一実施形態によれば、同一のインターネット広告提供方法が実現されるように、デジタル処理装置によって実行できる命令語のプログラムが有形的に実現され、デジタル処理装置によって読み取り可能なプログラムを記録した記録媒体であって、クライアントからクッキー情報を受信するステップ（ａ）と；前記クライアントが接続中であるサーバから広告露出情報を受信するステップ（ｂ）と；前記受信したクッキー情報と広告露出情報を利用して広告データを読み出すステップ（ｃ）；および前記読み出された広告データを前記クライアントに転送するステップ（ｄ）を含むことを特徴とする同一のインターネット広告提供方法を実現するためのプログラムを記録した記録媒体が提供される。
【００３０】
前記ステップ（ａ）において、前記クッキー情報は、前記クライアントに設けられたウェブブラウザーから受信することができる。
【００３１】
前記ステップ（ａ）において、前記クッキー情報は、前記クライアントが接続中である前記サーバを介して受信することができる。
【００３２】
前記ステップ（ａ）において、前記クッキー情報は前記クライアントのユーザ情報を含み、前記ステップ（ｃ）は前記ユーザ情報を利用して広告データを読み出すことができる。
【００３３】
前記ステップ（ｂ）において、前記広告露出情報は、前記転送される広告データが表示されるウインドウの大きさ、位置、および表示方法のうちの少なくとも一つを含む情報であってもよい。
【００３４】
前記ステップ（ｃ）において、前記広告データの読み出しは、前記クッキー情報と広告露出情報を利用してクエリーを生成して行われる。
【００３５】
前記ステップ（ｄ）において、前記読み出した広告データを前記クライアントに転送することは、前記クライアントが接続中であるサーバが変更される場合にも継続して行われる。
【００３６】
本発明のその他の目的、特定の長所、および新規な特徴は、添付した図面と関連する以下の詳細な説明と好ましい実施形態からより明らかになる。
【図面の簡単な説明】
【００３７】
【図１】本発明の好ましい一実施形態によるインターネット広告提供システムの構成を示す図である。
【図２】本発明の好ましい一実施形態による広告サーバの構成を示す図である。
【図３】本発明の好ましい一実施形態によって他のウェブサイトに移動する場合、同一のインターネット広告が提供されることを例示して示す図である。
【図４】本発明の好ましい一実施形態による同一のインターネット広告提供方法が実現される手順を示すフローチャートである。
【発明を実施するための形態】
【００３８】
以下、本発明の好ましい実施形態について添付図面を参照して詳しく説明する。本発明を説明する際、全体的な理解を容易にするために図面番号に関係なく同一の手段に対しては同一の参照番号を付することにする。
【００３９】
先ず、図１を参照して本発明の好ましい一実施形態による同一のインターネットユーザに同一の広告を提供できるインターネット広告提供システムについて説明する。
【００４０】
図１は、本発明の好ましい一実施形態によるインターネット広告提供システムの構成を示す図である。図１に示すように、本発明の好ましい一実施形態によるインターネット広告提供システムは、クライアント１００、メディアサーバ１２０、および広告サーバ１３０を含むことができる。
【００４１】
クライアント１００は、通信網１１０を介してメディアサーバ１２０から提供されるコンテンツの受信要請をメディアサーバ１２０に転送し、メディアサーバ１２０からコンテンツを受信できる装置である。
【００４２】
また、クライアント１００は、メディアサーバ１２０に接続できるようにするウェブブラウザー（ｗｅｂ  ｂｒｏｗｓｅｒ）（図示せず）とコンテンツの再生に必要なアプリケーション（図示せず）を含むことができ、ウェブブラウザーとアプリケーションはクライアント１００にプログラムの形態で設置できることは明らかである。
【００４３】
一方、クライアント１００において再生されるコンテンツが特定ウェブページを介して提供される場合、コンテンツの再生に必要なアプリケーションは、ウェブページを提供するウェブブラウザーにおいて駆動できるプラグイン（ｐｌｕｇ−ｉｎ）の形態で駆動されて再生を行うこともできる。
【００４４】
このようなクライアント１００は、通信機能を備えてメディアサーバ１２０と広告サーバ１３０に接続することができ、受信したコンテンツを再生できるプログラムの設置が可能であり、再生する映像が出力されるディスプレイ画面を含む装置であれば、特に制限されない。
【００４５】
クライアント１００としては、例えば、ユーザパーソナルコンピュータ（ＰＣ）と携帯電話、個人携帯端末（ＰＤＡ：Ｐｅｒｓｏｎａｌ  Ｄｉｇｉｔａｌ  Ａｓｓｉｓｔａｎｔ）などの無線端末などが挙げられる。
【００４６】
クライアント１００は通信網１１０を介してメディアサーバ１２０および広告サーバ１３０と連結され、本発明における通信網１１０はインターネットおよび移動通信網を含むだけでなく、インターネットはＴＣＰ／ＩＰプロトコルおよびその上位階層に存在する色々なサービス、すなわち、ＨＴＴＰ（Ｈｙｐｅｒ  Ｔｅｘｔ  Ｔｒａｎｓｆｅｒ  Ｐｒｏｔｏｃｏｌ）、Ｔｅｌｎｅｔ、ＦＴＰ（Ｆｉｌｅ  Ｔｒａｎｓｆｅｒ  Ｐｒｏｔｏｃｏｌ）、ＤＮＳ（Ｄｏｍａｉｎ  Ｎａｍｅ  Ｓｙｓｔｅｍ）、ＳＭＴＰ（Ｓｉｍｐｌｅ  Ｍａｉｌ  Ｔｒａｎｓｆｅｒ  Ｐｒｏｔｏｃｏｌ）、ＳＮＭＰ（Ｓｉｍｐｌｅ  Ｎｅｔｗｏｒｋ  Ｍａｎａｇｅｍｅｎｔ  Ｐｒｏｔｏｃｏｌ）、ＮＦＳ（Ｎｅｔｗｏｒｋ  Ｆｉｌｅ  Ｓｅｒｖｉｃｅ）などを提供する全世界的な開放型ネットワーク構造を全て含む。
【００４７】
また、移動通信網は、基地局（ＢＳ：Ｂａｓｅ  Ｓｔａｔｉｏｎ）、移動電話交換局（ＭＴＳＯ：Ｍｏｂｉｌｅ  Ｔｅｌｅｐｈｏｎｅ  Ｓｗｉｔｃｈｉｎｇ  Ｏｆｆｉｃｅ）、ホームロケーションレジスタ（ＨＬＲ：Ｈｏｍｅ  Ｌｏｃａｔｉｏｎ  Ｒｅｇｉｓｔｅｒ）の他に、無線パケットデータの送受信を可能にするアクセスゲートウェイ（Ａｃｃｅｓｓ  Ｇａｔｅｗａｙ）、ＰＤＳＮ（Ｐａｃｋｅｔ  Ｄａｔａ  Ｓｅｒｖｉｎｇ  Ｎｏｄｅ）などのような構成要素をさらに含む。
【００４８】
メディアサーバ１２０は、クライアント１００を介してユーザが選択したコンテンツ提供要請を受信し、受信したコンテンツ提供要請に応じて該当コンテンツを通信網１１０を介してクライアント１００に転送する。
【００４９】
メディアサーバ１２０を介して提供されるコンテンツは、映画、ドラマなどの映像データだけでなく、ＵＣＣ、ゲーム、音楽など、コンテンツの種類が様々であることは明らかである。
【００５０】
一方、図１においては、コンテンツが提供され、提供されるコンテンツと共に広告データが提供される場合を仮定してメディアサーバ１２０を例示したが、ウェブページを介してユーザがウェブページの内容を確認し、このようなウェブページを介して広告が提供される場合、図１に示されたメディアサーバ１２０はウェブサーバであってもよいことは明らかである。
【００５１】
また、コンテンツと共に広告が提供される場合とウェブページを介して広告が提供される場合とも、ウェブサーバとメディアサーバ１２０は全て本発明によるインターネット広告提供システムに含まれてもよい。
【００５２】
広告サーバ１３０は、メディアサーバ１２０を介し、またはクライアント１００から広告データを受信しようとするクライアント１００の情報を受信する。
【００５３】
このようなクライアント１００情報の受信は、クライアント１００に設けられるウェブブラウザーを介してクライアント１００に格納されるクッキー情報の受信であってもよい。
【００５４】
クッキーは、一般的にインターネットユーザが特定ウェブサーバなどに接続する時に生成される情報を入れる臨時ファイルであり、クライアントに設けられるウェブブラウザーによって自動で作られて更新される。
【００５５】
本発明においては、メディアサーバ１２０またはウェブサーバを介して広告サーバ１３０がクライアント１００と連結される場合、クライアント１００に設けられたウェブブラウザーによってクッキー情報の転送を受ける。
【００５６】
広告サーバ１３０は、このようなクッキー情報を利用し、クライアント１００における同一のウェブサーバでのウェブページの変更や他のサーバへの移動などの場合にも、同一の広告データを同一のクライアント１００に転送する。
【００５７】
一方、クライアント１００から受信されるクッキー情報を利用し、このようなウェブページの変更やサーバの変更などにも同一の広告データを提供するだけでなく、クッキー情報にユーザ情報などが格納された場合、これを利用してユーザに合わせた広告を提供することもできる。
【００５８】
すなわち、クライアント１００から受信されるクッキー情報にユーザ情報が含まれる場合、これを利用し、クライアント１００に提供される広告データ検索のためのクエリー（ｑｕｅｒｙ）を生成し、該当広告データを検索してクライアント１００に提供することができる。
【００５９】
一方、このような広告データの提供時、広告が提供されるウェブページ内の画面の大きさや位置広告の提供方法などが変わり得るし、この場合、最適な広告データの提供のためにウェブサーバまたはメディアサーバなどから広告が露出される画面の大きさと位置情報および広告提供方法情報などを受信し、ユーザが他のウェブページや他のウェブサイトに移動する場合にも、同一の広告でありながらもユーザに合わせた広告であり、また、画面に合わせた最適な広告がユーザに提供されるようにすることも可能になる。
【００６０】
一方、広告提供方法情報は、例えば、広告がポップアップ（ｐｏｐ−ｕｐ）の形態で提供されるかウェブページに含まれるか、または単純イメージ広告であるか動画広告であるかのように、広告がユーザに露出される方法に関する情報であってもよい。
【００６１】
以下では、同一の広告をウェブページの移動やウェブサイトの移動に関係なく提供できるようにする広告提供装置である広告サーバ１３０の構成を図２を参照して説明する。
【００６２】
図２は、本発明の好ましい一実施形態による広告サーバ１３０の構成を示す図である。図２に示すように、本発明の好ましい一実施形態による広告サーバ１３０は、クッキー情報受信部２００、広告露出情報受信部２１０、広告データ検索部２２０、および広告データ転送部２３０を含むことができる。
【００６３】
クッキー情報受信部２００は、メディアサーバ１２０またはクライアント１００からクライアント１００が転送するクッキー情報を受信する。
【００６４】
前述したように、広告サーバ１３０は、メディアサーバ１２０を介し、またはクライアント１００から広告データを受信しようとするクライアント１００の情報を受信することができ、このようなクライアント１００情報の受信は、クライアント１００に設けられるウェブブラウザーを介してクライアント１００に格納されるクッキー情報の受信であってもよい。
【００６５】
このようなクッキー情報の受信は、クライアント１００に設けられたウェブブラウザーによって行われることができる。
【００６６】
広告露出情報受信部２１０は、ユーザがクライアント１００を介して他のウェブサーバやメディアサーバ１２０に接続する場合、例えば、ウェブサイトの移動やウェブページの変更などの場合、該当ウェブサイトやウェブページの広告が露出される部分に対する情報を該当ウェブサーバまたはメディアサーバ１２０から受信する。
【００６７】
広告露出情報は、例えば、広告が露出されるウェブページの大きさと位置情報および広告提供方法情報などであってもよい。
【００６８】
広告データ検索部２２０は、受信したクッキー情報を利用し、広告データの検索のためのクエリーを生成して広告データを検索する。
【００６９】
このようなクエリーの生成による広告データの検索によってユーザに合わせた広告の提供も可能になる。
【００７０】
一方、クエリーの生成は、広告サーバ１３０の運営者などによって予め設定された優先順位情報によって生成されることができる。
【００７１】
広告データ転送部２４０は、広告データ検索部２２０によって検索されて読み出された広告データを、受信したクッキー情報またはメディアサーバ１２０またはウェブサーバから受信したユーザ情報を利用して該当クライアント１００に転送する。
【００７２】
このような広告サーバ１３０の構成によれば、ユーザがウェブサイトを移動したりウェブページを変更したりする場合または他のサーバに接続する場合にも、同一のインターネット広告をユーザに提供することができる。
【００７３】
また、ウェブサイトやウェブページなどの広告露出の大きさや位置および広告提供方法が変わる場合にも、それに応じ、好適な大きさと位置および広告提供方法に応じて同一のユーザに同一のインターネット広告を提供できるようになる。
【００７４】
また、このような広告は、クッキー情報に含まれ得るユーザ情報を利用し、該当ユーザに広告効果の高いユーザに合わせた広告も提供できるようになる。
【００７５】
図３は、本発明の好ましい一実施形態によって他のウェブサイトに移動する場合、同一のインターネット広告が提供されることを例示した図である。図３に示すように、ユーザがクライアント１００を利用してステップ３００のように最初にウェブサイトに接続する場合、該当ウェブサイトから提供するウェブページにおいて広告が露出される位置や大きさおよび広告提供方法が予め定められており、該当位置に予め設定された大きさの広告が予め設定された方法で露出される。
【００７６】
また、ステップ３０２や３０４のように他のウェブサイトに移動する場合、広告が露出される位置や大きさが異なり、広告提供方法も異なり得るし、同一のユーザによる他のウェブサイトへの移動であるか否かを把握することも難しい。
【００７７】
しかし、本発明においては、クッキー情報を利用して同一のユーザのウェブサイトの移動であることを把握し、ウェブサイトなどから広告の露出位置や大きさ情報および広告の提供方法情報を受信して同一の広告が提供されるようにする。
【００７８】
以下では、このような広告サーバ１３０の構成とウェブサイト移動に応じた同一のインターネット広告の提供例示を参照し、本発明の好ましい一実施形態によるインターネット広告の提供方法が実現される手順を説明する。
【００７９】
図４は、本発明の好ましい一実施形態による同一のインターネット広告提供方法が実現される手順を示すフローチャートである。図４に示すように、本発明による同一のインターネット広告提供方法は、先ずクライアント１００からまたはメディアサーバ１２０を介してクッキー情報を受信する（Ｓ３００）。
【００８０】
前述したように、クッキー情報は、一般的にインターネットユーザが特定ウェブサーバやメディアサーバ１２０などに接続する時に生成される情報を入れた臨時ファイルであり、クライアント１００に設けられるウェブブラウザーによって自動で作られて更新される。
【００８１】
本発明による広告サーバ１３０は、このようなクライアント１００から生成されるクッキー情報をクライアント１００からまたはメディアサーバ１２０またはウェブサーバから受信し、これを利用してインターネット広告が提供されるようにする。
【００８２】
また、広告サーバ１３０は、メディアサーバ１２０またはウェブサーバから広告が提供される領域、例えば、ウェブページにおける広告露出位置および大きさのような広告露出情報を受信する（Ｓ３０２）。
【００８３】
また、受信したクッキー情報と広告露出情報を利用し、広告データを検索して広告データを読み出し（Ｓ３０４）、検索された広告データをクライアント１００に転送する（Ｓ３０６）。
【００８４】
例えば、ＡというユーザがＢというサイトに接続した後、ＣというサイトとＤというサイトにそれぞれ移動する場合を仮定する。
【００８５】
従来には、それぞれのサイトごとに提供される広告の種類が異なり、また、広告が提供される位置や大きさまたは方法などが異なるように広告が提供された。
【００８６】
しかし、本発明においては、ユーザがサイトに接続する場合に生成されるクッキー情報を利用して同一のユーザであることを把握し、ユーザが接続するサイトから広告の位置、大きさ、および提供方法に対する情報を受信し、これを利用してユーザに同一の広告が継続的に露出されるようにする。
【００８７】
したがって、同一のユーザが他のサイトに移動したり同一のサイト内で他のウェブページを見たりする場合にも、ユーザに同一の広告を提供できるように変えることができる。
【００８８】
前記のような本発明の好ましい実施形態は例示する目的のために開示されたものであり、本発明に対して通常の知識を有した当業者であれば、本発明の思想と範囲内で様々な修正、変更、および付加が可能であり、このような修正、変更、および付加は下記の特許請求の範囲に属するとみなすべきである。
【産業上の利用可能性】
【００８９】
以上で説明したように、本発明による同一のインターネット広告提供方法および装置によれば、インターネットユーザにウェブサイトやウェブページの移動に関係なく同一の広告を提供することができる。
【００９０】
また、ウェブサイトやウェブページを移動する場合にも、それぞれのウェブサイトやウェブページから提供される広告が同一であるため、広告の効果を極大化することができる。
【図１】
2011503687.tif 000003
【図２】
2011503687.tif 000004
【図３】
2011503687.tif 000005
【図４】
2011503687.tif 000006
【国際調査報告】
2011503687.tif 000007
2011503687.tif 000008